(57)【要約】【課題】記録ヘッドから液体を吐出することに伴って発生するミストを、記録品質の低下を抑制しつつ効率良く回収する。【解決手段】被記録媒体Ｐに対して往復移動しながら液体を吐出可能な記録ヘッド７と、記録ヘッド７の往復移動方向Ｂに延設される開口部２２を有するミスト回収部１９と、記録ヘッド７の往復移動方向Ｂにおける位置に応じて、往復移動方向Ｂにおける開口部２２の開口量を変更する変更部２３と、を備えることを特徴とする記録装置１。このような構成の記録装置１とすることによって、記録ヘッド７から液体を吐出することに伴って発生するミストを、記録品質の低下を抑制しつつ効率良く回収することが可能になる。【選択図】図１
2016132141.tif 000002
【特許請求の範囲】
【請求項１】
被記録媒体に対して往復移動しながら液体を吐出可能な記録ヘッドと、
前記記録ヘッドの往復移動方向に延設される開口部を有するミスト回収部と、
前記記録ヘッドの前記往復移動方向における位置に応じて、前記往復移動方向における前記開口部の開口量を変更する変更部と、
を備えることを特徴とする記録装置。
【請求項２】
請求項１に記載の記録装置において、
前記液体の吐出方向における前記開口部の開口位置は、前記変更部により前記開口量が小さく変更された場合において、前記記録ヘッドから前記被記録媒体までの範囲を吸引可能な開口位置であることを特徴とする記録装置。
【請求項３】
請求項１又は２に記載の記録装置において、
前記変更部は、前記開口量を、前記記録ヘッドが画像形成領域に位置している状態よりも前記記録ヘッドが前記画像形成領域に位置していない状態では、小さくすることを特徴とする記録装置。
【請求項４】
請求項１又は２に記載の記録装置において、
前記変更部は、前記記録ヘッドの往復移動に連動して、前記往復移動方向及び前記液体の吐出方向と共に交差する方向から見た前記記録ヘッドと重なる位置における前記開口量よりも前記記録ヘッドと重ならない少なくともいずれかの位置における前記開口量が小さくなるように、前記開口量を変更することを特徴とする記録装置。
【請求項５】
請求項１から４のいずれか１項に記載の記録装置において、
前記往復移動方向に延設される前記開口部のシャッターを備え、
前記変更部は、前記シャッターを移動させることにより前記開口量を変更することを特徴とする記録装置。
【請求項６】
請求項５に記載の記録装置において、
前記変更部は、前記往復移動方向及び前記液体の吐出方向と共に交差する方向から見た前記シャッターの角度を変更させることにより前記開口量を変更することを特徴とする記録装置。
【発明の詳細な説明】
【技術分野】
【０００１】
本発明は、記録装置に関する。
【背景技術】
【０００２】
従来から、被記録媒体に対して液体を吐出可能な記録ヘッドを備える記録装置が使用されている。このような記録装置においては、液体の吐出に伴い、ミストが発生する場合がある。また、このような記録装置のうち、被記録媒体に対して往復移動しながら液体を吐出可能な記録ヘッドを備える記録装置が多く使用されている。  
例えば、特許文献１には、記録ヘッドを有したキャリッジを往復移動させることにより記録する記録装置であって、キャリッジの移動に伴う気流の変化を考慮してミストを回収するミスト回収手段を備えた記録装置が開示されている。
【先行技術文献】
【特許文献】
【０００３】
【特許文献１】特開２００８−２６０１５４号公報
【発明の概要】
【発明が解決しようとする課題】
【０００４】
特許文献１の記録装置は、キャリッジの移動に伴う気流の変化を考慮してミストを回収する。具体的には、複数の吸引口各々をオープン又はクローズして、キャリッジの進行方向の上流側と下流側との気圧差を緩和するように、キャリッジの移動範囲の気流を生成する。このような気流を記録中に生成すると、記録ヘッドから吐出された液体が該気流の影響を受け、所定の着弾位置に着弾しない虞がある。すなわち、記録品質の低下を招く虞がある。
【０００５】
そこで、本発明の目的は、記録ヘッドから液体を吐出することに伴って発生するミストを、記録品質の低下を抑制しつつ効率良く回収することである。
【課題を解決するための手段】
【０００６】
上記課題を解決するための本発明の第１の態様の記録装置は、被記録媒体に対して往復移動しながら液体を吐出可能な記録ヘッドと、前記記録ヘッドの往復移動方向に延設される開口部を有するミスト回収部と、前記記録ヘッドの前記往復移動方向における位置に応じて、前記往復移動方向における前記開口部の開口量を変更する変更部と、を備えることを特徴とする。
【０００７】
本発明の第２の態様の記録装置は、前記第１の態様において、前記液体の吐出方向における前記開口部の開口位置は、前記変更部により前記開口量が小さく変更された場合において、前記記録ヘッドから前記被記録媒体までの範囲を吸引可能な開口位置であることを特徴とする。
【０００８】
本発明の第３の態様の記録装置は、前記第１又は第２の態様において、前記変更部は、前記開口量を、前記記録ヘッドが画像形成領域に位置している状態よりも前記記録ヘッドが前記画像形成領域に位置していない状態では、小さくすることを特徴とする。
【０００９】
本発明の第４の態様の記録装置は、前記第１又は第２の態様において、前記変更部は、前記記録ヘッドの往復移動に連動して、前記往復移動方向及び前記液体の吐出方向と共に交差する方向から見た前記記録ヘッドと重なる位置における前記開口量よりも前記記録ヘッドと重ならない少なくともいずれかの位置における前記開口量が小さくなるように、前記開口量を変更することを特徴とする。
【００１０】
本発明の第５の態様の記録装置は、前記第１から第４のいずれか１つの態様において、前記往復移動方向に延設される前記開口部のシャッターを備え、前記変更部は、前記シャッターを移動させることにより前記開口量を変更することを特徴とする。
【００１１】
本発明の第６の態様の記録装置は、前記第５の態様において、前記変更部は、前記往復移動方向及び前記液体の吐出方向と共に交差する方向から見た前記シャッターの角度を変更させることにより前記開口量を変更することを特徴とする。
【発明の効果】
【００１２】
本発明によれば、記録ヘッドから液体を吐出することに伴って発生するミストを、記録品質の低下を抑制しつつ効率良く回収することができる。
【図面の簡単な説明】
【００１３】
【図１】本発明の実施例１の記録装置を表す概略側面図。
【図２】本発明の実施例１の記録装置を表すブロック図。
【図３】本発明の実施例１の記録装置の要部を表す概略平面図。
【図４】本発明の実施例１の記録装置の要部を表す概略側面図。
【図５】本発明の実施例１の記録装置の要部を表す概略正面図。
【図６】本発明の実施例２の記録装置の要部を表す概略正面図。
【図７】本発明の実施例３の記録装置の要部を表す概略正面図。
【発明を実施するための形態】
【００１４】
［実施例１］（図１〜図５）  
以下に、本発明の実施例に係る記録装置について、添付図面を参照して詳細に説明する。  
最初に、本発明の実施例１に係る記録装置１の概要について説明する。  
図１は本実施例の記録装置１の概略側面図である。
【００１５】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１６】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１７】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転する。
【００１８】
記録機構４は、記録ヘッド７を搭載するキャリッジを往復移動方向Ｂに往復移動させるキャリッジモーター３０（図２参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。
【００１９】
また、詳細は後述するが、記録機構４における、被記録媒体Ｐの搬送方向Ａにおける記録ヘッド７の上流側には、記録ヘッド７からインクを吐出することに伴って発生インク（液体）のミストを回収するミスト回収部１９が設けられている。なお、ミスト回収部１９には、ミスト回収部１９内部の気体を吸い込む方向に気流を発生させるファン２０と、記録ヘッド７の往復移動方向Ｂに延設される開口部２２と、後述の制御部２３（図２参照）の制御により記録ヘッド７からのインクの吐出方向Ｄに沿って移動することで該開口部２２の開口面積を調整可能なシャッター２１と、が設けられている。
【００２０】
粘着性ベルト１０の洗浄機構１５は、複数の洗浄ローラーが回転軸方向に連結されて構成された洗浄ユニット１３と、洗浄ユニット１３を洗浄するための洗浄剤が入ったトレイ１４と、を有する。
【００２１】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２２】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。さらには、被記録媒体Ｐを不動の支持部に支持させ、記録ヘッド７を被記録媒体Ｐに対して移動させて記録する、所謂フラッドベッドタイプの構成としてもよい。
【００２３】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２４】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３、シャッター移動モーター３４及びファンモーター３５を駆動させるためのモーター駆動部２９と接続されている。
【００２５】
ここで、キャリッジモーター３０は、記録ヘッド７を搭載したキャリッジを移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。また、シャッター移動モーター３４は、シャッター２１を往復移動方向Ｂにおける記録ヘッド７（キャリッジ）の位置に応じてインクの吐出方向Ｄに沿って移動させるモーターである。そして、ファンモーター３５は、ファン２０を駆動するモーターである。
【００２６】
また、ＣＰＵ２４は、システムバス２５を介して、被記録媒体Ｐを切断するようカッター１６を駆動させるカッター駆動部３６と接続されている。  
さらに、ＣＰＵ２４は、システムバス２５を介して、記録データ等を外部装置から入力するＰＣ３８と接続される、入出力部３７と接続されている。
【００２７】
次に、本実施例の記録装置１の要部であるミスト回収部１９について説明する。  
図３は、本実施例の記録装置１の要部であるミスト回収部１９の周辺部分を表す概略平面図である。  
また、図４は、本実施例の記録装置１の要部であるミスト回収部１９の周辺部分を表す概略側面図である。このうち、図４（Ａ）は、記録ヘッド７（キャリッジ）が画像形成領域Ｒｐに位置し、シャッター２１を大きく開いた状態を表した図である。また、図４（Ｂ）及び図４（Ｃ）は、記録ヘッド７（キャリッジ）が画像形成領域Ｒｐに位置せず（非画像形成領域Ｒｎに位置し）、シャッター２１を小さく開いた状態を表した図である。  
また、図５はミスト回収部１９の概略正面図を表しており、このうち、図５（Ａ）は記録ヘッド７が画像形成領域Ｒｐに位置しシャッター２１を大きく開いた状態、図５（Ｂ）は記録ヘッド７が画像形成領域Ｒｐに位置せずシャッター２１を小さく開いた状態を表している。
【００２８】
本実施例の記録ヘッド７（キャリッジ）は、搬送方向Ａに移動する被記録媒体Ｐに対して往復移動方向Ｂに移動して記録（インクを吐出）することが可能である。記録ヘッド７は、記録を実行する際、図３で表されるように、画像形成領域Ｒｐのほか、非画像形成領域Ｒｎをも移動する。
【００２９】
図３から図５で表されるように、本実施例の記録装置１は、被記録媒体Ｐに対して往復移動しながらインク（液体）を吐出可能な記録ヘッド７と、記録ヘッド７の往復移動方向Ｂに延設される開口部２２を有するミスト回収部１９とを備えている。そして、制御部２３は、シャッター２１を制御して、記録ヘッド７の往復移動方向Ｂにおける位置に応じて、往復移動方向Ｂにおける開口部２２の開口量を変更する。  
ここで、「往復移動方向Ｂにおける開口部２２の開口量を変更する」とは、往復移動方向Ｂにおける単位長さあたりの開口面積が該往復移動方向Ｂにおいて異なることを意味し、開口部２２をクローズすることは含まない意味である。気流の流量を一定とすると、流量＝開口面積×流速（気流の速度）と表すことができるため、開口部２２周辺では開口量を小さくした方が流速は大きくなる傾向にある。  
具体的には、制御部２３は、開口量の変更部として、記録中（記録ヘッド７からインクを吐出して画像を形成している状態）よりも非記録中（記録ヘッド７からインクを吐出していない状態）の開口量を小さくするように制御する。このように制御することで、記録中の流速を遅くしつつ広い範囲のミストを回収し、非記録中の流速を速くしてインクのミストが多く存在している領域Ｔ（図４参照）から選択的にミストを回収することができる。すなわち、本実施例の記録装置１は、記録品質の低下を抑制しつつ効率良くミストを回収することができる構成になっている。  
なお、後述の実施例２及び３のように、制御部２３に、記録ヘッド７の往復移動に伴って、記録ヘッド７周辺の開口量を記録ヘッド７周辺以外の開口量よりも大きくするように制御させてもよい。このように制御することで、記録ヘッド７周辺の流速を遅くしつつ広い範囲のミストを回収し、記録ヘッド７が移動した後におけるインクの吐出範囲の流速を速くしてインクのミストが多く存在している領域Ｔから選択的にミストを回収することができるためである。
【００３０】
ここで、本実施例の記録装置１では、制御部２３が往復移動方向Ｂに延設される開口部２２のシャッター２１をインクの吐出方向Ｄに沿って移動させることにより開口量を変更する。このため、簡単な構成で、往復移動方向Ｂにおける開口部２２の開口量を変更することができるようになっている。
【００３１】
図４及び図５を用いて詳細に説明すると、記録ヘッド７が画像形成領域Ｒｐに位置している場合、図４（Ａ）及び図５（Ａ）で表されるように、制御部２３は、シャッター２１をインクの吐出方向Ｄとは反対方向（上方向）に移動させ、開口部２２の開口量を大きくする。本実施例のファン２０は、所定の回転量で回転するので、ミスト回収部１９の外側の広い範囲から開口部２２に向かって気流が流れ込む。このため、記録ヘッド７のインク吐出面と被記録媒体Ｐとの間に発生する気流を小さな流速Ｓ１とすることができる。したがって、記録ヘッド７から吐出されたインクに該気流が影響し、記録品質を低下させるということを抑制できる。  
なお、「記録ヘッド７が画像形成領域Ｒｐに位置している」とは、記録ヘッド７におけるインクを吐出するノズルが画像形成領域Ｒｐに位置している場合を意味する。このため、インクを吐出するノズルが画像形成領域Ｒｐと非画像形成領域Ｒｎの両方に位置している場合も含む意味である。  
そして、画像形成領域Ｒｐは、記録動作における、記録中の記録ヘッド７の所定速度での定速移動領域に対応している。また、非画像形成領域Ｒｎは、非記録動作時における全領域、並びに、記録動作における、非記録中の記録ヘッド７の加速移動領域、減速移動領域、停止領域に対応している。ただし、このような構成に限定されず、記録ヘッド７の加速移動領域及び減速移動領域においても記録可能な構成（記録ヘッド７の加速移動領域及び減速移動領域が画像形成領域Ｒｐに含まれる構成）であってもよい。
【００３２】
一方、記録ヘッド７が画像形成領域Ｒｐに位置していない場合、図４（Ｂ）、図４（Ｃ）及び図５（Ｂ）で表されるように、制御部２３は、シャッター２１をインクの吐出方向Ｄに移動させ、開口部２２の開口量を小さくする。本実施例のファン２０は、所定の回転量で回転するので、往復移動方向Ｂから見て記録ヘッド７のインク吐出面と被記録媒体Ｐとの間を含む狭い範囲（即ちミストが多く漂っている範囲）から開口部２２に向かって気流が流れ込む。このため、記録ヘッド７のインク吐出面と被記録媒体Ｐとの間に発生する気流を大きな流速Ｓ２とすることができる。別の表現をすると、ミストの濃度の低い領域Ｗよりもミストの濃度の高い領域Ｔから選択的にミストを回収することができる。したがって、効率良くミストを回収することができる。
【００３３】
上記をまとめると、本実施例の制御部２３は、開口部２２の開口量を、記録ヘッド７が画像形成領域Ｒｐに位置している状態よりも記録ヘッドが画像形成領域Ｒｐに位置していない状態では、小さくするよう制御する。すなわち、記録中は記録ヘッド７周辺の領域の流速を遅くすることで記録ヘッド７から吐出されたインク滴に気流が影響するのを抑制し、非記録中はインクのミストが多く存在している領域Ｔの流速を速くすることで効率良くミストを回収する。このため、記録品質の低下を抑制しつつ効率良くミストを回収することができる構成になっている。
【００３４】
また、本実施例の記録装置１における開口部２２の開口位置は、図４（Ｂ）、図４（Ｃ）及び図５（Ｂ）で表されるように、制御部２３により開口量が小さく変更された場合においても、記録ヘッド７から被記録媒体Ｐまでの範囲であるインクの吐出範囲を吸引可能な開口位置である。別の表現をすると、シャッター２１は、開口部２２の上側（被記録媒体Ｐから遠い側）に設けられ、制御部２３により開口量が小さく変更された場合においても、開口部２２の下側（被記録媒体Ｐに近い側）が開口された状態となるように構成されている。すなわち、インクの吐出方向Ｄにおける開口位置は、インクのミストが多く存在している領域Ｔを吸引可能な位置である。このため、特に効率良くミストを回収することができる。
【００３５】
［実施例２］（図６）  
次に、本発明の実施例２に係る記録装置について説明する。  
図６は本発明の実施例２に係る記録装置１の要部であるミスト回収部１９の概略正面図であり、実施例１のミスト回収部１９を表す図５に対応する図である。なお、上記実施例１と共通する構成部材は同じ符号で示しており、詳細な説明は省略する。  
本実施例の記録装置１は、ミスト回収部１９の構成のみが実施例１の記録装置１と相違する。
【００３６】
実施例１の記録装置１のミスト回収部１９は、記録ヘッド７が画像形成領域Ｒｐに位置しているか否かに応じて、開口部２２の開口量を１つのシャッター２１で変更する構成であった。  
一方、本実施例の記録装置１は、シャッター２１として往復移動方向Ｂに並べられる２つのシャッター２１ａ及び２１ｂを備え、記録ヘッド７がシャッター２１ａ側に位置するかシャッター２１ｂ側に位置するかに応じて、開口部２２の開口量をシャッター２１ａ及び２１ｂで変更する構成である。
【００３７】
具体的には、図６（Ａ）で表されるように、記録ヘッド７がシャッター２１ａ側に位置する場合は、シャッター２１ａをインクの吐出方向Ｄとは反対方向に移動させて開口部２２の開口量を大きくするとともに、シャッター２１ｂをインクの吐出方向Ｄに移動させて開口部２２の開口量を小さくする。逆に、図６（Ｂ）で表されるように、記録ヘッド７がシャッター２１ｂ側に位置する場合は、シャッター２１ｂをインクの吐出方向Ｄとは反対方向に移動させて開口部２２の開口量を大きくするとともに、シャッター２１ａをインクの吐出方向Ｄに移動させて開口部２２の開口量を小さくする。  
なお、図６では、被記録媒体Ｐの幅方向（往復移動方向Ｂ）全体に亘り画像を形成している状態（すなわちインクの吐出範囲は被記録媒体Ｐの幅方向全体）を表している。
【００３８】
別の表現をすると、本実施例の制御部２３は、記録ヘッド７の往復移動に連動して、往復移動方向Ｂ及びインクの吐出方向Ｄと共に交差する方向である搬送方向Ａから見た記録ヘッド７と重なる位置における開口量よりも記録ヘッド７と重ならない位置における開口量が小さくなるように、開口量を変更する。すなわち、制御部２３は、記録ヘッド７の往復移動に連動して、記録ヘッド７周辺の領域の流速を遅くしつつ、記録ヘッド７が移動した後における液体のミストが多く存在している領域Ｔの流速を速くすることができる。このため、記録品質の低下を抑制しつつ効率良くミストを回収することができる。  
なお、本実施例のシャッター２１は２つであったが３つ以上備えていてもよい。また、開口量の変更は、搬送方向Ａから見た記録ヘッド７と重なる位置における開口量よりも記録ヘッド７と重ならない少なくともいずれかの位置における開口量が小さくなるように開口量を変更すればよい。
【００３９】
［実施例３］（図７）  
次に、本発明の実施例３に係る記録装置について説明する。  
図７は本発明の実施例７に係る記録装置１の要部であるミスト回収部１９の概略正面図であり、実施例１のミスト回収部１９を表す図５及び実施例２のミスト回収部１９を表す図６に対応する図である。なお、上記実施例１及び２と共通する構成部材は同じ符号で示しており、詳細な説明は省略する。  
本実施例の記録装置１は、ミスト回収部１９の構成のみが実施例１及び２の記録装置１と相違する。
【００４０】
実施例１及び２の記録装置１のミスト回収部１９は、記録ヘッド７の往復移動方向Ｂにおける位置に応じて、シャッター２１をインクの吐出方向Ｄに沿う方向に移動させて開口部２２の開口量を変更する構成であった。  
一方、本実施例の記録装置１は、記録ヘッド７の往復移動方向Ｂにおける位置に応じて、搬送方向Ａから見たシャッター２１の角度を変更させることにより、往復移動方向Ｂにおける開口部２２の開口量を変更する構成である。  
なお、記録ヘッド７の往復移動に連動して、搬送方向Ａから見た記録ヘッド７と重なる位置における開口量よりも記録ヘッド７と重ならない位置における開口量が小さくなるように、開口量を変更するのは、実施例２の記録装置と同様である。
【００４１】
このように、本実施例の制御部２３は、シャッター２１の搬送方向Ａから見た角度を変更させることにより開口量を変更するため、１つのシャッター２１により往復移動方向Ｂにおける開口部２２の開口量を変更することができる。こうして、特に簡単な装置構成としている。
【００４２】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４３】
本発明の第１の態様の記録装置１は、被記録媒体Ｐに対して往復移動しながら液体を吐出可能な記録ヘッド７と、記録ヘッド７の往復移動方向Ｂに延設される開口部２２を有するミスト回収部１９と、記録ヘッド７の往復移動方向Ｂにおける位置に応じて、往復移動方向Ｂにおける開口部２２の開口量を変更する変更部２３と、を備えることを特徴とする。
【００４４】
ここで、「往復移動方向Ｂにおける開口部２２の開口量を変更する」とは、往復移動方向Ｂにおける単位長さあたりの開口面積が該往復移動方向Ｂにおいて異なることを意味し、開口部２２をクローズすることは含まない意味である。気流の流量を一定とすると、流量＝開口面積×流速と表すことができるため、開口部２２周辺では開口量を小さくした方が流速は大きくなる傾向にある。  
本態様によれば、記録ヘッド７の往復移動方向Ｂにおける位置に応じて、往復移動方向Ｂにおける開口部２２の開口量を変更する。このため、例えば、記録中よりも非記録中の開口量を小さくするように制御することで、記録中の流速を遅くしつつ広い範囲のミストを回収し、非記録中の流速を速くして液体のミストが多く存在している領域Ｔから選択的にミストを回収することができる。すなわち、記録品質の低下を抑制しつつ効率良くミストを回収することができる。また、例えば、記録ヘッド７の往復移動に伴って、記録ヘッド７周辺の開口量を記録ヘッド７周辺以外の開口量よりも大きくすることで、記録ヘッド７周辺の流速を遅くしつつ広い範囲のミストを回収し、記録ヘッド７が移動した後における液体の吐出範囲の流速を速くして液体のミストが多く存在している領域Ｔから選択的にミストを回収することができる。すなわち、記録品質の低下を抑制しつつ効率良くミストを回収することができる。
【００４５】
本発明の第２の態様の記録装置１は、前記第１の態様において、前記液体の吐出方向Ｄにおける開口部２２の開口位置は、変更部２３により前記開口量が小さく変更された場合において、記録ヘッド７から被記録媒体Ｐまでの範囲を吸引可能な開口位置であることを特徴とする。
【００４６】
本態様によれば、液体の吐出方向Ｄにおける開口部２２の開口位置は、変更部２３により開口量が小さく変更された場合において、記録ヘッド７から被記録媒体Ｐまでの液体の吐出範囲を吸引可能な位置である。すなわち、液体の吐出方向Ｄにおける開口位置は、液体のミストが多く存在している領域Ｔを吸引可能な位置である。このため、特に効率良くミストを回収することができる。
【００４７】
本発明の第３の態様の記録装置１は、前記第１又は第２の態様において、変更部２３は、前記開口量を、記録ヘッド７が画像形成領域Ｒｐに位置している状態よりも記録ヘッド７が画像形成領域Ｒｐに位置していない状態では、小さくすることを特徴とする。
【００４８】
本態様によれば、変更部２３は、開口量を、記録ヘッド７が画像形成領域Ｒｐに位置している状態よりも記録ヘッド７が画像形成領域Ｒｐに位置していない状態では、小さくする。すなわち、記録中は記録ヘッド７周辺の領域の流速を遅くすることで記録ヘッド７から吐出された液体の液滴に気流が影響するのを抑制し、非記録中は液体のミストが多く存在している領域Ｔの流速を速くすることで効率良くミストを回収する。このため、記録品質の低下を抑制しつつ効率良くミストを回収することができる。  
なお、「記録ヘッド７が画像形成領域Ｒｐに位置している」とは、記録ヘッド７における液体を吐出するノズルが画像形成領域Ｒｐに位置している場合を意味する。このため、液体を吐出するノズルが画像形成領域Ｒｐと非画像形成領域Ｒｎの両方に位置している場合も含む意味である。
【００４９】
本発明の第４の態様の記録装置１は、前記第１又は第２の態様において、変更部２３は、記録ヘッド７の往復移動に連動して、往復移動方向Ｂ及び前記液体の吐出方向Ｄと共に交差する方向Ａから見た記録ヘッド７と重なる位置における前記開口量よりも記録ヘッド７と重ならない少なくともいずれかの位置における前記開口量が小さくなるように、前記開口量を変更することを特徴とする。
【００５０】
本態様によれば、変更部２３は、記録ヘッド７の往復移動に連動して、方向Ａから見た記録ヘッド７と重なる位置における開口量よりも記録ヘッド７と重ならない少なくともいずれかの位置における開口量が小さくなるように、開口量を変更する。すなわち、変更部２３は、記録ヘッド７の往復移動に連動して、記録ヘッド７周辺の領域の流速を遅くしつつ、記録ヘッド７が移動した後における液体のミストが多く存在している領域Ｔの流速を速くすることができる。このため、記録品質の低下を抑制しつつ効率良くミストを回収することができる。
【００５１】
本発明の第５の態様の記録装置１は、前記第１から第４のいずれか１つの態様において、往復移動方向Ｂに延設される開口部２２のシャッター２１を備え、変更部２３は、前記シャッター２１を移動させることにより前記開口量を変更することを特徴とする。
【００５２】
本態様によれば、変更部２３は往復移動方向Ｂに延設されるシャッター２１を移動させることにより開口量を変更する。このため、簡単な構成で、往復移動方向Ｂにおける開口部２２の開口量を変更することができる。
【００５３】
本発明の第６の態様の記録装置１は、前記第５の態様において、変更部２３は、往復移動方向Ｂ及び前記液体の吐出方向Ｄと共に交差する方向Ａから見たシャッター２１の角度を変更させることにより前記開口量を変更することを特徴とする。
【００５４】
本態様によれば、変更部２３はシャッター２１の方向Ａから見た角度を変更させることにより開口量を変更する。このため、例えば、１つのシャッター２１により往復移動方向Ｂにおける開口部２２の開口量を変更することができるので、特に簡単な装置構成とすることができる。
【符号の説明】
【００５５】
１…記録装置、２…繰出部、３…搬送機構、４…記録機構、５…繰出部２の回転軸、
６…従動ローラー、７…記録ヘッド、８…搬送ローラー、９…従動ローラー、
１０…粘着性ベルト、１１…従動ローラー、１２…加圧ローラー、
１３…洗浄ユニット、１４…トレイ、１５…洗浄機構、１６…カッター、
１７…巻取軸、１８…巻取機構、１９…ミスト回収部、２０…ファン、
２１…シャッター、２２…開口部、２３…制御部（変更部）、２４…ＣＰＵ、
２５…システムバス、２６…ＲＯＭ、２７…ＲＡＭ、２８…ヘッド駆動部、
２９…モーター駆動部、３０…キャリッジモーター、３１…搬送モーター、
３２…繰出モーター、３３…巻取モーター、３４…シャッター移動モーター、
３５…ファンモーター、３６…カッター駆動部、３７…入出力部、３８…ＰＣ、
Ｆ…支持面、Ｐ…被記録媒体、Ｒ１…被記録媒体Ｐのロール、
Ｒ２…被記録媒体Ｐのロール、Ｒｐ…画像形成領域、Ｒｎ…非画像形成領域、
Ｓ１…小さな流速、Ｓ２…大きな流速、
Ｔ…ミストが多く存在している領域（ミストの濃度の高い領域）、
Ｗ…ミストの濃度の低い領域
【図１】
2016132141.tif 000003
【図２】
2016132141.tif 000004
【図３】
2016132141.tif 000005
【図４】
2016132141.tif 000006
【図５】
2016132141.tif 000007
【図６】
2016132141.tif 000008
【図７】
2016132141.tif 000009